(57)【要約】      （修正有）【課題】工具袋の強度を増強させると共に、工具袋の強度低下を使用者が目視できる工具袋を提供する。【解決手段】筒体１の上部の口縁部２を皮革条で覆い、下部の口縁部３に底部４を設け、底部の内側に、周縁部に立ち上がり縁５を設けた底板６を設置する。筒体の上部及び底部に、等間隔に、二本のベルトを交差させ、側面の上下部９において、ベルトの両端部を固定するベルトは強靱な繊維よりなる織布のベルトを３層に積層してなり、中間のベルト（例えば赤色）、外側のベルト（例えば黒色）で異なる色に形成し、ベルトの摩耗を目視できるようにする。また底部の扇形の露出部に突起７を固定し、載置時の支持突起とし、袋本体の底面と床面との接触を防止する。【選択図】図１
0003196592.tif 000002
【実用新案登録請求の範囲】
【請求項１】
筒状袋の外側壁及び底壁へ二本のベルトの両端部を等間隔に固定すると共に、前記筒状袋の内底上へ底板を収容し、前記二本のベルトは、筒状袋の上部及び底部で交差させたことを特徴とする工具袋。
【請求項２】
筒状袋の外側壁及び底壁へ二本のベルトの両端部を等間隔に固定すると共に、前記筒状袋の内底上へ底板を収容し、前記筒状袋の口縁部を皮革で覆い、前記二本のベルトは、筒状袋の上部及び底部で交差させたことを特徴とする工具袋。
【請求項３】
を
筒状袋の外側壁及び底壁へ二本のベルトの両端部を等間隔に固定すると共に、前記筒状袋の内底上へ底板を収容し、前記二本のベルトは、筒状袋の上部及び底部で交差させ、前記底部下面の扇状の露出部へ４個の突部を等間隔に設けたことを特徴とする工具袋。
【請求項４】
筒状袋の外側壁及び底壁へ二本のベルトの両端部を等間隔に固定すると共に、前記筒状袋の内底上へ底板を収容し、前記二本のベルトは、筒状袋の上部及び底部で交差させ、前記ベルトは複数層とし、外層と内層は異色としたことを特徴とする工具袋。
【請求項５】
筒状袋の外側壁及び底壁へ二本のベルトの両端部を等間隔に固定すると共に、前記筒状袋の内底上へ底板を収容し、前記筒状袋の口縁部へ、前記二本のベルトは、筒状袋の上部及び底部で交差させ、前記底部下面の扇状の露出部へ４個の突部を等間隔に設け、前記ベルトは複数層とし、外層と内層は異色としたことを特徴とする工具袋。
【請求項６】
ベルトは、異色の三層とし、表裏層と中層は異なる採色としたことを特徴とする請求項１乃至請求項５の何れか１つに記載の工具袋。
【請求項７】
底板は周縁部に立ち上がり縁を設けた金属板又は合成樹脂板としたことを特徴とする請求項１乃至請求項５の何れか１つに記載の工具袋。
【請求項８】
ベルトを構成する織布の間にピアノ線を挿通したことを特徴とする請求項１乃至請求項５の何れか１つに記載の工具袋。
【考案の詳細な説明】
【技術分野】
【０００１】
この考案は、工具袋に関し、特に土木、建築、電気工事、配管その他の工事において、高所作業の際に必要な工具又は器具を吊り上げ、又は吊り下げる際に使用する工具袋に関する。
【背景技術】
【０００２】
従来、筒状袋の口部に吊紐の両端を縛着（固着）した工具袋（通称「バケツ」）が使用されている。この工具袋は、直径２００ｍｍ〜３２０ｍｍ、高さ３００ｍｍ〜１５００ｍｍであって、収容するのはスパナ、レンチ、ハンマーなどの工具その他の部品（単管、ジョイント部品など）であって、使用可能な重量は３５ｋｇ〜８０ｋｇを想定しており、破断荷重は７．３Ｎ〜１６．７５Ｎとされている。そこで、ベルトが切れたり、袋が破れたりしないように前記破断荷重を念頭において強度の対処がされている。
【０００３】
前記工具袋は、従来一本のベルトによる吊り下げ構造であるから、ベルトの強度が第一の留意点であるが、安全性を考慮すれば前記ベルトの他に、ベルトと袋の取付部、筒状部、袋の底部などについて強度上の配慮が必要とされる。
【先行技術文献】
【特許文献】
【０００４】
【特許文献１】実開平６−３６７９０号公報
【特許文献２】特開２００８−１７４２７１号公報
【考案の概要】
【考案が解決しようとする課題】
【０００５】
従来知られている工具袋は、ベルト一本に全重量を負担させているから（特許文献１、２）、ベルトに故障が生じると直ちに危険が生じるおそれがあった。また、工具袋の底部については配慮されていなかったので、工具類の尖端が当たり、かつ重力により工具類が工具袋の底を突き破るおそれがあった。
【０００６】
また、工具袋の底部は他物と接触しやすく、摩耗しやすいにも関わらず、摩耗対策がされていなかった。
【０００７】
また、工具袋は高所へ吊り上げ又は高所から吊り下げるために、使用の都度重力を受け、重量より大きい力が急速に掛かるおそれがあるが、対策がとられていなかった。
【０００８】
さらに、工具袋は、工事現場で連続的かつ過酷な条件下で使用されるので、積載許容量以上の工具類が詰め込まれることが予測され、かつ吊り上げ又は吊り下げ時に急速な速度変化が生じるが何等の措置がされていない問題点があった。
【課題を解決するための手段】
【０００９】
この考案は、次のようにして前記問題点を解決した。即ち、従来はベルト一本が普通であったが、これをベルト二本にして吊り下げ、吊り上げ時の対応強度を２倍にすると共に、ベルト二本を何れも工具袋の底部まで廻すことにより、ベルト二本で全重量を支持させた。
【００１０】
また、筒状袋の内底部に補強板（例えば金属薄板）を収容し、補強板の固線に立ち上がり線を設けて補強したので、工具などの尖端部が底板へ強く当接し、又は工具袋が横に引きずられても底板が破損するおそれを未然に防止した。
【００１１】
さらに、ベルト二本は共に複数枚の異色ベルトを重ね合わせる構成にし、表面のベルトが部分的に摩損すると異色が表れて、ベルトの使用限度を自動的に告知するような構成を採用した。
【００１２】
また、筒状袋の口部及び底周部はそれぞれ二重縫着により補強したので、該部が二重の強度になると共に、磨り減っても本来の強度が低下しないように配慮した。
【００１３】
また、底部下面には４個の突起を配置して、載置時の支持突起とし、袋本体の底面と床面などとの接触を防止した。
【００１４】
即ち、この考案は、筒状袋の外側壁及び底壁へ二本のベルトの両端部を等間隔に設置すると共に、前記筒状袋の内底上へ底板を収容し、前記二本のベルトは、筒状袋の上部及び底部で交差させたことを特徴とする工具袋である。
【００１５】
また、筒状袋の外側壁及び底壁へ二本のベルトの両端部を等間隔に設置すると共に、前記筒状袋の内底上へ底板を収容し、前記筒状袋の口縁部へ設置し、前記二本のベルトは、筒状袋の上部及び底部で交差させたことを特徴とする工具袋である。
【００１６】
また、筒状袋の外側壁及び底壁へ二本のベルトの両端部を等間隔に設置すると共に、前記筒状袋の内底上へ底板を収容し、前記二本のベルトは、筒状袋の上部及び底部で交差させ、前記底部下面へ４個の合成樹脂突部を等間隔に設けたことを特徴とする工具袋である。
【００１７】
また、筒状袋の外側壁及び底壁へ二本のベルトの両端部を等間隔にすると共に、前記筒状袋の内底上へ底板を収容し、前記二本のベルトは、筒状袋の上部及び底部で交差させ、前記ベルトは複数層とし、外層と内層は異色としたことを特徴とする工具袋である。
【００１８】
また、筒状袋の外側壁及び底壁へ二本のベルトの両端部を等間隔にすると共に、前記筒状袋の内底上へ底板を収容し、前記筒状袋の口縁部へ、前記二本のベルトは、筒状袋の上部及び底部で交差させ、前記底部下面へ４個の合成樹脂突部を等間隔に設け、前記ベルトは複数層とし、外層と内層は異色としたことを特徴とする工具袋である。
【００１９】
また、ベルトは、異色の三層又は四層とし、表裏層と中層は異なる色彩とした。
【００２０】
また、底板は周縁部を３０度〜９０度立ち上がらせた金属板又は合成樹脂板とした。また、ベルトには、金属線を内装し補強することもできる。
【００２１】
この考案によれば、ベルト二本の両端をそれぞれ筒状袋の外側壁及び底壁に固定し、筒状袋を吊り下げると安定性がよく、かつ二本のベルトで全重量を支えるので、吊下荷重に対するバランスがよくなる。
【００２２】
また、底板によって、工具袋の底に掛かる外力を受け止めると共に、工具などによる底板の損傷を防止することができる。
【００２３】
更に、ベルトの損傷によって工具袋の継続使用の可否を検知できるので、安全使用を見込むことができる。
【００２４】
前記における底板周縁部の立ち上がり角度は３０度〜９０度であって、好ましくは６０度〜９０度である。従って、工具端が底板外へ逸脱するおそれを未然に防止することができる。
【考案の効果】
【００２５】
この考案によれば、二本の吊りベルトを用いたので、従来の一本の吊りベルトの２倍以上の強度を確保すると共に、安定性を増加させる効果がある。従って内容物の重量が予定以上の重量（仮に２倍近く）になった場合にも十分耐えることができる。
【００２６】
また、底板を収容して二重底としたので、工具袋の底部に工具が刺さって穿孔するおそれを未然に防止できる効果がある。
【００２７】
次に、ベルトを異色の複数層にしたので、ベルトの摩損が速やかに発見され、使用限度を即知させる効果がある。
【００２８】
また、工具袋の口縁部及び底縁部を二重壁としたので、摩損しやすい筒縁部の強度が２倍以上になる効果がある。
【００２９】
さらに、底部へ突起を設けたので、底部下面と床面などの接触が阻止され、筒状袋の底部下面の摩耗を未然に防止できる効果がある。
【００３０】
前記各構造の付加により筒状袋の使用可能期間を飛躍的に増大（１０倍〜１００倍）させる効果がある。
【図面の簡単な説明】
【００３１】
【図１】（ａ）この考案の実施形態の斜視図、（ｂ）同じくベルトを省略した平面図、（ｃ）同じく底面図。
【図２】（ａ）同じく一部を省略した断面拡大図、（ｂ）同じくベルトの一部を省略し、拡大した説明図、（ｃ）同じくベルトの一部摩損を示す拡大断面図、（ｄ）同じくベルトにピアノ線を挿通した状態を示す一部断面拡大図、（ｅ）同じくベルトの幅方向の一部断面拡大図。
【考案を実施するための形態】
【００３２】
以下添付図面を参照して、本考案の好ましい実施形態を説明する。
【００３３】
（実施形態１）
【００３４】
この考案の工具袋を以下のように構成する。強靱な織布よりなる筒体１の上部口縁に、皮革を被冠してなる環状の上部の口縁部２を連設し、該口縁部２を皮革条２ａで覆い、筒体１の下部口縁に同質の織布よりなる下部の口縁部３を連設すると共に、円形の底部４の周縁部を縫着する。
【００３５】
底部４の内側には、周縁部に立ち上がり縁５を設けた底板６を設置し（図２）、底部４の下面に床面などと当接する４個の突部７、７を均等に配置して固定する。底板６は、金属板又は合成樹脂板とするが、他の材質も使用できる。
【００３６】
筒体１の側面には、二本のベルト８、８を均等間隔で配置し、それぞれ上下部９、９で縫着固定すると共に、長手方向の両縁部を縫着する（図１）。
二本のベルト８、８は底部４の下面で十字状に配置され、底部４の扇形の露出部へ前記突部７、７が固定してある。前記ベルト８、８の上部は筒体１の口部上へ突出して交差部１０を形成し、交差部１０の各ベルト８ａ、８ａは、折り曲げて幅を小さくし、フックなどが掛けやすくしてある。前記によりこの考案の工具袋１５を構成した。
【００３７】
ベルト８、８は、強靱な繊維よりなる織布のベルト８ａ、８ｂ、８ｃを積層して構成され、中間のベルト８ｂは外側のベルト８ａ、８ｃと異色にしてある。例えば、ベルト８ａ、８ｃを黒色とし、ベルト８ｂを赤色にしてあるので、外側のベルト８ａ又は８ｃが摩損すると中間のベルト８ｂの赤色が見えるようにしてある。そこで、赤色が見えれば、使用中止と判断することができるので、新しい工具袋と取り換えて使用することにより、不慮の事故を未然に防止することができる。前記工具袋の側壁下部は破損しやすいので補強してある。
【００３８】
前記二本のベルトは、全長に亘って同質に作ってあるので、何処かが弱体化しても危険を直ちに知ることができる。従って、バンドの破断による事故を未然に防止することができる。また、ベルト織布の積層数に限定はない。
【００３９】
工具袋１５は、二本のベルトを底板下にも交差して均等に配置したので、工具袋１５の重量は悉く二本のベルトに掛かることになる。そこで、二本のベルトの引張強さを、最大収容荷重が落下停止時のショックに耐え得る強度にしておくことにより、如何なる使用方法の場合にも安全性を確保することができる。
【００４０】
また、ベルトの摩耗を目視できるようにしてあるので、使用者が危険性を直接察知して工具袋の取り換えをすることができる。
【００４１】
（実施形態２）
【００４２】
この考案の他の実施形態を図２（ｄ）、（ｅ）に基づいて説明する。ベルト８を構成する織布８ａ、８ｂの間又は８ｂ、８ｃの間にピアノ線１４、１４を挿通すれば、ベルト８の引張強度を飛躍的に向上させることができる。引張強度を勘案してピアノ線１４、１４の直径を決めれば、ベルトに関し確実に求める強度を得ることができる。
【００４３】
前記実施形態は、ベルト内へ二本のピアノ線を挿通したが、金属細線を織布中へ織り込んでも前記と同様にベルトの耐力を著しく増強させることができる。
【符号の説明】
【００４４】
１  筒体
２  上部の口縁部
３  下部の口縁部
４  底部
６  底板
７  突部
８  ベルト
１４  ピアノ線
１５  工具袋
【図１】
0003196592.tif 000003
【図２】
0003196592.tif 000004
【手続補正書】
【提出日】平成27年1月16日(2015.1.16)
【手続補正１】
【補正対象書類名】実用新案登録請求の範囲
【補正対象項目名】全文
【補正方法】変更
【補正の内容】
【実用新案登録請求の範囲】
【請求項１】
筒状袋の外側壁及び底壁へ二本のベルトの両端部を等間隔に固定すると共に、前記筒状袋の内底上へ底板を収容し、前記二本のベルトは、筒状袋の上部及び底部で交差させたことを特徴とする工具袋。
【請求項２】
筒状袋の外側壁及び底壁へ二本のベルトの両端部を等間隔に固定すると共に、前記筒状袋の内底上へ底板を収容し、前記筒状袋の口縁部を皮革で覆い、前記二本のベルトは、筒状袋の上部及び底部で交差させたことを特徴とする工具袋。
【請求項３】
筒状袋の外側壁及び底壁へ二本のベルトの両端部を等間隔に固定すると共に、前記筒状袋の内底上へ底板を収容し、前記二本のベルトは、筒状袋の上部及び底部で交差させ、前記底部下面の扇状の露出部へ４個の突部を等間隔に設けたことを特徴とする工具袋。
【請求項４】
筒状袋の外側壁及び底壁へ二本のベルトの両端部を等間隔に固定すると共に、前記筒状袋の内底上へ底板を収容し、前記二本のベルトは、筒状袋の上部及び底部で交差させ、前記ベルトは複数層とし、外層と内層は異色としたことを特徴とする工具袋。
【請求項５】
筒状袋の外側壁及び底壁へ二本のベルトの両端部を等間隔に固定すると共に、前記筒状袋の内底上へ底板を収容し、前記二本のベルトは、筒状袋の上部及び底部で交差させ、前記底部下面の扇状の露出部へ４個の突部を等間隔に設け、前記ベルトは複数層とし、外層と内層は異色としたことを特徴とする工具袋。
【請求項６】
ベルトは、異色の三層とし、表裏層と中層は異なる採色としたことを特徴とする請求項１乃至請求項５の何れか１つに記載の工具袋。
【請求項７】
底板は周縁部に立ち上がり縁を設けた金属板又は合成樹脂板としたことを特徴とする請求項１乃至請求項５の何れか１つに記載の工具袋。
【請求項８】
ベルトを構成する織布の間にピアノ線を挿通したことを特徴とする請求項１乃至請求項５の何れか１つに記載の工具袋。